【手続補正書】
【提出日】平成28年4月27日(2016.4.27)
【手続補正１】
【補正対象書類名】明細書
【補正対象項目名】００５４
【補正方法】変更
【補正の内容】
【００５４】
これらの２種の蒸発遅延化合物は、
・２種の異なる界面活性剤、または
・界面活性剤および溶媒、または
・界面活性剤および湿潤剤、または
・湿潤剤および溶媒、または
・２種の溶媒
からなることが好ましい。
【手続補正２】
【補正対象書類名】明細書
【補正対象項目名】００７６
【補正方法】変更
【補正の内容】
【００７６】
（実施例１）
フッ素化熱安定性バインダーおよび蒸発遅延化合物を含む本発明の顔料添加水性インクＥＡ１
フッ素化熱安定性バインダーを含まない顔料添加初期組成物ＣＰ１を撹拌下に調製する。組成物の種々の成分および組成物の合計重量に対する重量％で表したそれぞれの量を以下に示す。
【手続補正３】
【補正対象書類名】明細書
【補正対象項目名】００７８
【補正方法】変更
【補正の内容】
【００７８】
水性組成物ＣＰ１中において、溶解した青色１０Ｃ５９５顔料は以下の粒径分布を有する。
−  Ｄ５０＝９３０ｎｍ、および
−  Ｄ９９＝３３６０ｎｍ
【手続補正４】
【補正対象書類名】明細書
【補正対象項目名】００８０
【補正方法】変更
【補正の内容】
【００８０】
２時間の摩砕の後、熱安定性バインダーを含まない二次顔料添加組成物ＣＰ１’が得られる。これについて、以下の粒径分布が青色顔料に関して得られる。
−  Ｄ５０＝１７０ｎｍ、および
−  Ｄ９９＝４１５ｎｍ。
【手続補正５】
【補正対象書類名】明細書
【補正対象項目名】００８２
【補正方法】変更
【補正の内容】
【００８２】
この摩砕ステップの後、ナノメーターサイズのＣＰ１’顔料分散液に、以下に示す割合（重量部）でＰＴＦＥ分散液を加えて水性インク組成物ＥＡ１を作成する。
【手続補正６】
【補正対象書類名】明細書
【補正対象項目名】００８８
【補正方法】変更
【補正の内容】
【００８８】
（実施例２）
フッ素化熱安定性バインダーおよび少なくとも１種の蒸発遅延化合物を含む本発明の顔料不添加水性インクＥＡ２
フッ素化熱安定性バインダーを含む顔料不添加水性インク組成物ＥＡ２を調製する。組成物の種々の成分および組成物の合計重量に対する重量％で表したそれぞれの量を以下に示す。
【手続補正７】
【補正対象書類名】明細書
【補正対象項目名】００９５
【補正方法】変更
【補正の内容】
【００９５】
（実施例３）
フッ素化熱安定性バインダーおよび蒸発遅延化合物を含む本発明の顔料不添加水性インクＥＡ３
フッ素化熱安定性バインダーを含む顔料不添加水性インク組成物ＥＡ３を調製する。組成物の種々の成分および組成物の合計重量に対する重量％で表したそれぞれの量を以下に示す。
【手続補正８】
【補正対象書類名】明細書
【補正対象項目名】０１０１
【補正方法】変更
【補正の内容】
【０１０１】
（実施例４）
フッ素化熱安定性バインダーを含む本発明の顔料不添加水性インクＥＡ４
フッ素化熱安定性バインダーを含む顔料不添加水性インク組成物ＥＡ４を調製する。組成物の種々の成分および組成物の合計重量に対する重量％で表したそれぞれの量を以下に示す。
【手続補正９】
【補正対象書類名】明細書
【補正対象項目名】０１０７
【補正方法】変更
【補正の内容】
【０１０７】
（実施例５）
フッ素化熱安定性バインダーおよび非フッ素化熱安定性バインダー、ならびに蒸発遅延化合物を含む本発明の顔料添加水性インクＥＡ５
フッ素化熱安定性バインダーおよび非フッ素化熱安定性バインダーを含まない顔料添加初期組成物ＣＰ５を調製する。組成物の種々の成分および組成物の合計重量に対する重量％で表したそれぞれの量を以下に示す。
【手続補正１０】
【補正対象書類名】明細書
【補正対象項目名】０１１２
【補正方法】変更
【補正の内容】
【０１１２】
ＰＴＦＥおよびＰＡＩの添加により顔料は凝集しない。水性インク組成物ＥＡ５のレオロジープロファイルはニュートニアンであり、２５℃における粘度は２１ｍＰａ．ｓである。
【手続補正１１】
【補正対象書類名】明細書
【補正対象項目名】０１１６
【補正方法】変更
【補正の内容】
【０１１６】
（比較例１）
フッ素化熱安定性バインダーを含まず、水の蒸気圧より高い蒸気圧を有する溶媒を含む顔料添加水性インクＥＣ１
フッ素化熱安定性バインダーを含まない顔料添加初期組成物ＥＣ１を調製する。ここで用いる溶媒は、５℃から５０℃の温度および大気圧において水の蒸気圧より高い蒸気圧を有する溶媒であるエタノールである。
【手続補正１２】
【補正対象書類名】明細書
【補正対象項目名】０１２２
【補正方法】変更
【補正の内容】
【０１２２】
（比較例２）
非熱安定性アクリルバインダーを含む微粒子インク
非熱安定性アクリルバインダー（アクリル酸ベンジル／メタクリル酸コポリマー）を含む顔料不添加水性インク組成物を調製する。組成物の種々の成分および組成物の合計重量に対する重量％で表したそれぞれの量を以下に示す。
【手続補正１３】
【補正対象書類名】明細書
【補正対象項目名】０１２８
【補正方法】変更
【補正の内容】
【０１２８】
（比較例３）
非熱安定性ポリウレタンバインダーを含む微粒子インク
非熱安定性ポリウレタン樹脂バインダーを含む顔料不添加水性インク組成物を調製する。組成物の種々の成分および組成物の合計重量に対する重量％で表したそれぞれの量を以下に示す。
【手続補正１４】
【補正対象書類名】明細書
【補正対象項目名】０１３３
【補正方法】変更
【補正の内容】
【０１３３】
印刷結果は、２５０℃の温度に曝した後、その特性において顕著な変化を示す。印刷層は実際、ポリウレタン樹脂の劣化により、その温度に曝した後、顕著な黄色化を示す。
【手続補正１５】
【補正対象書類名】明細書
【補正対象項目名】０１３７
【補正方法】変更
【補正の内容】
【０１３７】
したがって、水性組成物中の顔料の粒径分布は、現状ではインクジェットによる適用には適しない。この目的のため、顔料添加組成物を、ＺｒＯ2ビーズを満たした水平ピンミルで摩砕する。
【手続補正１６】
【補正対象書類名】明細書
【補正対象項目名】０１３８
【補正方法】変更
【補正の内容】
【０１３８】
２時間の摩砕の後、熱安定性バインダーを全く含まない二次顔料添加組成物が得られる。これについて、以下の粒径分布が青色顔料に関して得られる。
−  Ｄ５０＝１７０ｎｍ、および
−  Ｄ９９＝４１５ｎｍ。
【手続補正１７】
【補正対象書類名】明細書
【補正対象項目名】０１４０
【補正方法】変更
【補正の内容】
【０１４０】
この摩砕ステップの後、ナノメーターサイズの顔料分散液に、以下に示す割合（重量部）でアクリルコポリマー分散液を加えて水性インク組成物を作成する。
【手続補正１８】
【補正対象書類名】明細書
【補正対象項目名】０１４９
【補正方法】変更
【補正の内容】
【０１４９】
したがって、水性組成物中の顔料の粒径分布は、現状ではインクジェットによる適用には適しない。この目的のため、顔料添加組成物を、ＺｒＯ2ビーズを満たした水平ピンミルで摩砕する。
【手続補正１９】
【補正対象書類名】明細書
【補正対象項目名】０１５０
【補正方法】変更
【補正の内容】
【０１５０】
２時間の摩砕の後、熱安定性バインダーを全く含まない二次顔料添加組成物が得られる。これについて、以下の粒径分布が青色顔料に関して得られる。
−  Ｄ５０＝１７０ｎｍ、および
−  Ｄ９９＝４１５ｎｍ。
【手続補正２０】
【補正対象書類名】特許請求の範囲
【補正対象項目名】全文
【補正方法】変更
【補正の内容】
【特許請求の範囲】
【請求項１】
インクジェット用途の熱安定性微粒子組成物であって、
・前記組成物の合計重量に対して１０重量％から９５重量％の水と、
・前記組成物の合計重量に対して９０重量％から５重量％の、少なくとも１種のフッ素化熱安定性バインダーであって、前記バインダーが粒子状であり、その特徴的な寸法の少なくとも１つが８００ｎｍより小さいバインダーと
を含むことを特徴とする組成物。
【請求項２】
少なくとも１種の熱安定性顔料を、前記フッ素化熱安定性バインダーおよび前記熱安定性顔料が組成物の合計重量の９０から５重量％を占める量でさらに含み、前記熱安定性顔料も粒子状であり、その特徴的な寸法の少なくとも１つは８００ｎｍより小さいことを特徴とする請求項１に記載の組成物。
【請求項３】
組成物中に含まれる前記フッ素化熱安定性バインダーの粒子の特徴的な寸法の少なくとも１つは４００ｎｍより小さいことを特徴とする請求項１または２に記載の組成物。
【請求項４】
組成物の合計重量に対して少なくとも１重量％の、５℃〜５０℃の間に含まれる温度および大気圧において水の蒸気圧より低い蒸気圧を有し、少なくとも部分的に水と混和し得る形態の、少なくとも１種の蒸発遅延化合物をさらに含むことを特徴とする請求項１から３のいずれか一項に記載の組成物。
【請求項５】
前記蒸発遅延化合物は、界面活性剤、湿潤剤、消泡剤、および水溶性または部分的水溶性溶媒を含む群から選択されることを特徴とする請求項４に記載の組成物。
【請求項６】
少なくとも２種の蒸発遅延化合物を含むことを特徴とする請求項４または５に記載の組成物。
【請求項７】
前記蒸発遅延化合物は、少なくとも
・２種の異なる界面活性剤、または
・界面活性剤および溶媒、または
・界面活性剤および湿潤剤、または
・湿潤剤および溶媒、または
・２種の溶媒
を含むことを特徴とする請求項６に記載の組成物。
【請求項８】
前記２種の蒸発遅延化合物の重量百分率の和は、組成物の合計重量に対して５重量％より大きいことを特徴とする請求項７に記載の組成物。
【請求項９】
第１の化合物の量の第２の化合物の量に対する重量比は０．００１〜１０００の間に含まれることを特徴とする請求項８に記載の組成物。
【請求項１０】
前記熱安定性顔料は、カーボンブラック、鉱物顔料および有機顔料、熱変色性半導体顔料、ならびにそれらの混合物から選択されることを特徴とする請求項２から９のいずれか一項に記載の組成物。
【請求項１１】
顔料を含まず、少なくとも溶媒および／または湿潤剤を含むことを特徴とする請求項１から９のいずれか一項に記載の組成物。
【請求項１２】
少なくとも１種の第２の非フッ素化熱安定性バインダーを含むことを特徴とする請求項１から１１のいずれか一項に記載の組成物。
【請求項１３】
前記非フッ素化熱安定性バインダーは、ポリフェニレンスルフィド（ＰＰＳ）、ポリエーテルスルホン（ＰＥＳ）、ポリエーテルエーテルケトン（ＰＥＥＫ）、ポリエーテルケトン（ＰＥＫ）、ポリアミドイミド（ＰＡＩ）、およびポリイミドから選択されることを特徴とする請求項１２に記載の組成物。
【請求項１４】
前記フッ素化熱安定性バインダーは、ポリテトラフルオロエチレン（ＰＴＦＥ）、テトラフルオロエチレン／パーフルオロプロピルビニルエーテルコポリマー（ＰＦＡ）、およびテトラフルオロエチレン／ヘキサフルオロプロペンコポリマー（ＦＥＰ）、ポリフッ化ビニリデン（ＰＶＤＦ）、ＭＶＡ（ＴＦＥ／ＰＭＶＥコポリマー）、ＴＦＥ／ＰＭＶＥ／ＦＡＶＥターポリマー、ＥＴＦＥ、ポリクロロトリフルオロエチレン（ＰＣＴＦＥ）、それらの関連するコポリマー、ならびにそれらの混合物から選択されるフルオロカーボン化樹脂であることを特徴とする請求項１から１３のいずれか一項に記載の組成物。